(57)【要約】【課題】下方および側方に光を照射する照明器具を提供する。【解決手段】内部に光源２３を有する外部部材２０の天面部２１１および天面部２１１に直交する前面部２１２を不透光性の第１のカバー２１で構成し、対向する一対の側面部２２１，２２１およびこの側面部２２１に直交する下面部２２２を透光性の第２のカバー２２で構成したので、光源２３から発せられた照射光は、側方および下方に照射される。このとき、点灯装置２５はランプ２３の上方に設けられているので、陰にならない。【選択図】図１
2011204553.tif 000002
【特許請求の範囲】
【請求項１】
天面部およびこの天面部に直交する前面部を有する不透光性の第１のカバーと、対向する一対の側面部およびこの側面部に直交する下面部を有する透光性の第２のカバーとで箱状の外部部材を形成し、
前記外部部材の内部の上方位置に点灯装置を配設するとともに内部の中央位置にランプを装着した照明器具。
【請求項２】
請求項１に記載の照明器具において、
前記第１のカバーの前記前面部に、設置面より一定距離を空けた状態で直交する前側面部を設けた照明器具。
【請求項３】
請求項１または請求項２に記載の照明器具において、
前記第１のカバーの上方より下方に前記第２のカバーが配設される照明器具。
【発明の詳細な説明】
【技術分野】
【０００１】
本発明は、壁面に取り付けて、主に下方を照らす照明器具に関するものである。
【背景技術】
【０００２】
従来より、壁面に取り付けて、主に下方を照らす照明器具として足元灯が知られている（例えば特許文献１参照）。
図７に示すように、特許文献１に記載の足元灯１００は、壁面１０１等に設けて、主に足元である下方を照らすものである。
【０００３】
この足元灯１００は、器具本体１０２と、枠１１０と、パッキン１１１と、透光パネル１１２とを有する。
器具本体１０２は壁面１０１に埋め込まれて使用される矩形箱状をしており、前面に開口１０３を有するとともに、内部にランプ１０４を装着するランプソケット１０５を有する。器具本体１０２の前端面には、枠状のフランジ１０６が設けられており、器具本体１０２を壁面１０１に埋め込んだ状態で、壁面１０１の前面に当接して係止する。器具本体１０２の内部には、上部およびランプ１０４の後方である上部後端から下部前端にかけて湾曲する反射板１０７が設けられている。
【０００４】
器具本体１０２の前面である開口１０３には、パッキン１１１を挟んで枠１１０が取り付けられる。枠１１０は不透光性であり、器具本体１０２の周囲と、前面である開口１０３の上部半分と、を覆っている。枠１１０の内側には、透光性のパネル１１２が設けられているが、上半分は枠１１０によって遮光される。
従って、ランプ１０４から発せられた光は、枠１１０に覆われていないパネル１１２の下半分のから前方および下方に照射される。
【先行技術文献】
【特許文献】
【０００５】
【特許文献１】実開平６−５０１５７号公報（第１図）
【発明の概要】
【発明が解決しようとする課題】
【０００６】
しかしながら、前述した従来の照明器具においては、主に下方に光を照射するものであったが、下方のみならず側方にも光を照射したい場合もある。
【０００７】
本発明は、従来の問題を解決するためになされたもので、下方および側方に光を照射する照明器具を提供することを目的とする。
【課題を解決するための手段】
【０００８】
本発明の照明器具は、天面部およびこの天面部に直交する前面部を有する不透光性の第１のカバーと、対向する一対の側面部およびこの側面部に直交する下面部を有する透光性の第２のカバーとで箱状の外部部材を形成し、この外部部材の内部の上方位置に点灯装置を配設するとともに内部の中央位置にランプを装着したものである。
【０００９】
また、本発明の照明器具は、第１のカバーの前面部に、設置面より一定距離を空けた状態で直交する前側面部を設けたものである。
【００１０】
さらに、本発明の照明器具は、第１のカバーの上方より下方に第２のカバーが配設されたものである。
【発明の効果】
【００１１】
本発明は、内部に光源を有する外部部材の天面部および天面部に直交する前面部を不透光性の第１のカバーで構成し、対向する一対の側面部およびこの側面部に直交する下面部を透光性の第２のカバーで構成したので、光源から発せられた照射光は、側方および下方に照射される。このとき、点灯装置はランプの上方に設けられているので、陰にならないという効果を有する照明器具を提供できる。
【図面の簡単な説明】
【００１２】
【図１】本発明に係る第１実施形態の照明器具を示す斜視図
【図２】本発明に係る第１実施形態の照明器具の器具本体の分解斜視図
【図３】本発明に係る第２実施形態の照明器具を示す斜視図
【図４】本発明に係る第２実施形態の照明器具の器具本体の分解斜視図
【図５】本発明に係る第３実施形態の照明器具を示す斜視図
【図６】本発明に係る第３実施形態の照明器具の器具本体の分解斜視図
【図７】従来の埋め込み型の照明器具の断面図
【発明を実施するための形態】
【００１３】
（第１実施形態）
以下、本発明の第１実施形態の照明器具について、図面を用いて説明する。
図１に示すように、本発明に係る第１実施形態の照明器具１０は、例えば玄関の壁や塀の壁等の壁面１１に取り付けられ、下方に設けられている表札１２を照らす表札灯として用いることができる。
【００１４】
図１および図２に示すように、照明器具１０は、矩形箱状の外部部材である器具本体２０を有する。器具本体２０は、壁面１１に取り付けるための背板２４と、背板２４に取り付けられる不透光性の第１のカバー２１および透光性の第２のカバー２２を有する。なお、器具本体２０を壁面１１に取り付ける際には、予め壁面１１に取付板を設けておき、背板２４を取付板に取り付けるようにしてもよい。
【００１５】
背板２４には、前面中央位置に光源であるランプ２３を取り付けるためのランプソケット２３１が取り付けられており、ランプ２３の上方には点灯装置２５が取り付けられている。第１のカバー２１は不透光性の樹脂製や金属製であり、天面部２１１およびこの天面部２１１に直交する前面部２１２を有して、全体Ｌ字形状をしている。第２のカバー２２は透光性の樹脂製であり、対向する一対の側面部２２１およびこの側面部２２１に直交する下面部２２２を有して全体コ字形状をしている。
従って、ランプ２３から発せられた光はあらゆる方向へ照射されるが、不透光性の第１のカバー２１により覆われている方向の光は遮断され、第２のカバー２２の第１のカバー２１で覆われていない方向の光のみが照射されることになる。
【００１６】
以上、説明した本発明に係る第１実施形態の照明器具１０によれば、内部にランプ２３を有する器具本体２０の天面部２１１および天面部２１１に直交する前面部２１２を不透光性の第１のカバー２１で構成し、対向する一対の側面部２２１，２２１およびこの側面部２２１に直交する下面部２２２を透光性の第２のカバー２２で構成したので、ランプ２３から発せられた照射光を、前方や上方には照射せず、側方および下方にのみ照射することができる。このとき、点灯装置２５はランプ２３の上方に設けられているので、陰にならない。
【００１７】
（第２実施形態）
次に、本発明に係る第２実施形態の照明器具について説明する。なお、前述した第１実施形態にかかる照明器具と共通する部位には同じ符号を付して、重複する説明を省略することとする。
図３および図４に示すように、第２実施形態の照明器具１０Ｂは、第１のカバー２１Ｂの前面部２１２に、設置面である壁面１１から一定距離Ｄを空けた状態で直交する前側面部２１３を設けたものである。第２のカバー２２は、第１実施形態の器具本体２０における第２のカバー２２と同じものであり、第１のカバー２１Ｂの前側面部２１３は、第２のカバー２２の側面部２２１の外側に重なる。
【００１８】
以上、説明した本発明に係る第２実施形態の照明器具１０Ｂによれば、前述した第１実施形態の照明器具１０と同様の効果を有する。
さらに、第１のカバー２１Ｂの前面部２１２に直交する前側面部２１３を設けたので、側方に照射する照射光の内の前側部分を遮光して、側方の照明範囲をさらに限定することができる。なお、壁面１１から前側面部２１３までの距離Ｄを変えることにより、側方への照明範囲の広さを変えることができる。
なお、上述した照明器具１０Ｂにおいては、前側面部２１３を前面部２１２の全高に対して設けたが、高さ方向の途中部分にのみ前側面部２１３を設けることもできる。
【００１９】
（第３実施形態）
次に、本発明に係る第３実施形態の照明器具について説明する。なお、前述した第１実施形態および第２実施形態にかかる照明器具と共通する部位には同じ符号を付して、重複する説明を省略することとする。
【００２０】
図５および図６に示すように、第３実施形態の照明器具１０Ｃは、第１のカバー２１Ｃの上方より下方に第２のカバー２２が配設されたものである。すなわち、第１のカバー２１Ｃの天面部２１１から左右両側面に上側面部２１４を設けたものである。第２のカバー２２は、第１実施形態の器具本体２０における第２のカバー２２と同じものであり、第１のカバー２１Ｃの前側面部２１３および上側面部２１４は、第２のカバー２２の側面部２２１の外側に重なる。
【００２１】
以上、説明した本発明に係る第３実施形態の照明器具１０Ｃによれば、前述した第１実施形態の照明器具１０および第２実施形態の照明器具１０Ｂと同様の効果を有する。
さらに、天面部２１１から左右両側面の下方に向かって上側面部２１４を設けたので、側方に照射する照射光の内の上側部分を遮光して、側方の照明範囲をさらに限定することができる。なお、壁面１１から上側面部２１４の高さを変えることにより、側方への照明範囲の広さを変えることができる。
なお、上述した照明器具１０Ｃにおいては、前側面部２１３および上側面部２１４の両方を設けた場合について説明したが、前側面部２１３を設けずに、上側面部２１４のみ設けることもできる。
【００２２】
なお、本発明の照明器具は、前述した各実施形態に限定されるものでなく、適宜な変形，改良等が可能である。
例えば、前述した各実施形態において、光源として電球型のランプを例示したが、本発明はその他の光源にも適用可能である。
【符号の説明】
【００２３】
１０、１０Ｂ、１０Ｃ  照明器具
１１  壁面（設置面）
２０  器具本体（外部部材）
２１  第１のカバー
２１１  天面部
２１２  前面部
２１３  前側面部
２２  第２のカバー
２２１  側面部
２２２  下面部
２３  ランプ
２５  点灯装置
Ｄ  一定距離
【図１】
2011204553.tif 000003
【図２】
2011204553.tif 000004
【図３】
2011204553.tif 000005
【図４】
2011204553.tif 000006
【図５】
2011204553.tif 000007
【図６】
2011204553.tif 000008
【図７】
2011204553.tif 000009